(57)【要約】【課題】構造物を数値解析する構造解析装置及び構造解析方法において、構造物の設計から評価までの作業量及び時間を削減して作業効率を向上する。【解決手段】構造物を数値解析する構造解析装置であって、上記構造物に作用する一次応力及び二次応力と上記構造物のクリープ寿命とが関連付けられた応力寿命関連データを記憶する記憶手段４と、上記応力寿命関連データに基づいて上記構造物の特性を算出する算出手段５とを備える。【選択図】図１
2010203919.tif 000002
【特許請求の範囲】
【請求項１】
構造物を数値解析する構造解析装置であって、
前記構造物に作用する一次応力及び二次応力と前記構造物のクリープ寿命とが関連付けられた応力寿命関連データを記憶する記憶手段と、
前記応力寿命関連データに基づいて前記構造物の特性を算出する算出手段と
を備えることを特徴とする構造解析装置。
【請求項２】
前記記憶手段は、前記構造物の温度をパラメータとして複数の前記応力寿命関連データを記憶していることを特徴とする請求項１記載の構造解析装置。
【請求項３】
前記構造物を模擬したモデルを用い、前記クリープ寿命、前記一次応力及び前記二次応力がパラメータとされた有限要素法解析を行うことによって前記応力寿命関連データを作成するデータ作成手段を備えることを特徴とする請求項１または２記載の構造解析装置。
【請求項４】
前記データ作成手段は、前記モデルを構成する要素のうち最も引張応力が大きく作用する要素を用い、前記クリープ寿命、前記一次応力及び前記二次応力がパラメータとされた有限要素法解析を行うことを特徴とする請求項３記載の構造解析装置。
【請求項５】
構造物の数値解析する構造解析方法であって、
前記構造物に作用する一次応力及び二次応力と前記構造物のクリープ寿命とが関連付けられた応力寿命関連データに基づいて前記構造物の特性を算出する
ことを特徴とする構造解析方法。
【請求項６】
前記構造物の温度をパラメータとする複数の前記応力寿命関連データを有し、前記構造物の測定温度に基づいて前記応力損傷関連データを選択し、選択された前記応力損傷関連データに基づいて前記構造物の特性を算出することを特徴とする請求項５記載の構造解析方法。
【請求項７】
前記構造物を模擬したモデルを用い、前記クリープ寿命、前記一次応力及び前記二次応力がパラメータとされた有限要素法解析を行うことによって前記応力寿命関連データを作成することを特徴とする請求項５または６記載の構造解析方法。
【請求項８】
前記モデルを構成する要素のうち最も引張応力が大きく作用する要素を用い、前記クリープ寿命、前記一次応力及び前記二次応力がパラメータとされた有限要素法解析を行うことを特徴とする請求項７記載の構造解析方法。
【発明の詳細な説明】
【技術分野】
【０００１】
本発明は、構造物を数値解析する構造解析装置及び構造解析方法に関するものである。
【背景技術】
【０００２】
例えば、ボイラ等に用いられるクリープ速度の低下が大きい配管（例えば高Ｃｒ鋼によって形成された配管）の寿命や許容応力を予測するために、いわゆる有限要素法を用いた構造解析を行って配管のクリープ寿命を算出し、当該クリープ寿命を用いて配管の寿命や許容応力を算出する方法が用いられている。
【０００３】
例えば、実際に有限要素法を用いてボイラ配管の解析を行う場合には、まずボイラ配管を複数の要素に仮想的に分割すると共に、各要素の境界条件等を含む計算条件やボイラ配管の材料データを設定することによってボイラ配管をモデル化し、各要素に作用する応力を算出する。そして、この各要素に作用する応力の時間履歴からクリープ寿命が算出される。
【先行技術文献】
【特許文献】
【０００４】
【特許文献１】特開平８−２７１３９６号公報
【発明の概要】
【発明が解決しようとする課題】
【０００５】
しかしながら、従来の有限要素法を用いたボイラ配管の構造解析は、まずボイラ配管の設計がなされ、このボイラ配管をモデル化して行っている。このため、ボイラ配管の設計変更がなされた場合には、その都度、煩雑なモデル化作業や時間がかかる応力の時間履歴の算出を行う必要が生じる。有限要素法を用いたボイラ配管の構造解析を行う必要がある。したがって、従来のボイラ配管の構造解析は、作業効率が非常に悪い。特に、予め定められた寿命を満足する許容応力を算出する場合には、計算条件を換えて繰り返し有限要素法による構造解析を行う必要があり、極めて作業効率が悪い。
【０００６】
なお、このような有限要素法を用いた構造解析は、ボイラの配管のみを解析対象とするものではなく、構造物の数値解析に広く用いられている。そして、どのような構造物に対する数値解析であっても、構造物の設計変更の度に有限要素法を用いた構造解析を行うとなると、煩雑な作業及び膨大な時間を必要とするために、設計から評価までの作業効率が非常に悪化することとなる。
【０００７】
本発明は、上述する問題点に鑑みてなされたもので、構造物を数値解析する構造解析装置及び構造解析方法において、構造物の設計から評価までの作業量及び時間を削減して作業効率を向上することを目的とする。
【課題を解決するための手段】
【０００８】
本発明は、上記課題を解決するための手段として、以下の構成を採用する。
【０００９】
第１の発明は、構造物を数値解析する構造解析装置であって、上記構造物に作用する一次応力及び二次応力と上記構造物のクリープ寿命とが関連付けられた応力寿命関連データを記憶する記憶手段と、上記応力寿命関連データに基づいて上記構造物の特性を算出する算出手段とを備えるという構成を採用する。
【００１０】
第２の発明は、上記第１の発明において、上記記憶手段が、上記構造物の温度をパラメータとして複数の上記応力寿命関連データを記憶しているという構成を採用する。
【００１１】
第３の発明は、上記第１または第２の発明において、上記構造物を模擬したモデルを用い、上記クリープ寿命、上記一次応力及び上記二次応力がパラメータとされた有限要素法解析を行うことによって上記応力寿命関連データを作成するデータ作成手段を備えるという構成を採用する。
【００１２】
第４の発明は、上記第３の発明において、上記データ作成手段が、上記モデルを構成する要素のうち最も引張応力が大きく作用する要素を用い、上記クリープ寿命、上記一次応力及び上記二次応力がパラメータとされた有限要素法解析を行うという構成を採用する。
【００１３】
第５の発明は、構造物の数値解析する構造解析方法であって、上記構造物に作用する一次応力及び二次応力と上記構造物のクリープ寿命とが関連付けられた応力寿命関連データに基づいて上記構造物の特性を算出するという構成を採用する。
【００１４】
第６の発明は、上記第５の発明において、上記構造物の温度をパラメータとする複数の上記応力寿命関連データを有し、上記構造物の測定温度に基づいて上記応力損傷関連データを選択し、選択された上記応力損傷関連データに基づいて上記構造物の特性を算出するという構成を採用する。
【００１５】
第７の発明は、上記第５または第６の発明において、上記構造物を模擬したモデルを用い、上記クリープ寿命、上記一次応力及び上記二次応力がパラメータとされた有限要素法解析を行うことによって上記応力寿命関連データを作成するという構成を採用する。
【００１６】
第８の発明は、上記第７の発明において、上記モデルを構成する要素のうち最も引張応力が大きく作用する要素を用い、上記クリープ寿命、上記一次応力及び上記二次応力がパラメータとされた有限要素法解析を行うという構成を採用する。
【発明の効果】
【００１７】
本発明によれば、構造物に作用する一次応力及び二次応力と構造物のクリープ寿命とが関連付けられた応力寿命関連データが予め記憶され、当該応力寿命関連データに基づいて構造物の特性が解析される。
そして、本発明によれば、応力寿命関連データを用いることによって、一次応力及び二次応力からクリープ寿命を容易に算出でき、またクリープ寿命から一次応力及び二次応力を容易に算出することができる。
なお、一次応力とは構造物（あるいは構造物の一部）に一様に加わる荷重によって発生する応力を意味する。また、二次応力とは構造物（あるいは構造物の一部）が自由な変形を拘束されることによって発生する応力を意味し、例えば固定された構造物が熱膨張する際に構造物に作用する応力である。そして、これらの一次応力及び二次応力は、簡易算出式や既存の計算プログラムを用いることによって短時間で容易に取得することが可能である。
【００１８】
このように、本発明によれば、応力寿命関連データを用いることによって、構造物の特性を容易に算出することができ、構造物の設計から評価までの作業量及び時間を削減して作業効率を向上させることが可能となる。
【図面の簡単な説明】
【００１９】
【図１】本発明の一実施形態における構造解析装置の概略構成を示す機能ブロック図である。
【図２】本発明の一実施形態における構造解析装置において応力寿命関連データの作成に用いられるモデルを示す図である。
【図３】本発明の一実施形態における構造解析装置において構造物の寿命を算出するための動作を説明するためのフローチャートである。
【図４】本発明の一実施形態における構造解析装置において構造物の寿命を算出する際に行われる応力寿命関連データの作成工程を説明するためのフローチャートである。
【図５】本発明の一実施形態における構造解析装置において構造物の寿命を算出する際に行われる寿命の算出工程を説明するためのフローチャートである。
【図６】本発明の一実施形態における構造解析装置において構造物の許容応力を算出するための動作を説明するためのフローチャートである。
【図７】本発明の一実施形態における構造解析装置において構造物の許容応力を算出する際に行われる許容応力の算出工程を説明するためのフローチャートである。
【発明を実施するための形態】
【００２０】
以下、図面を参照して、本発明に係る構造解析装置及び構造解析方法の一実施形態について説明する。
【００２１】
図１は、本実施形態の構造解析装置Ｓの概略構成を示す機能ブロック図である。
この図に示すように、本実施形態の構造解析装置Ｓは、応力寿命関連データ作成部１（データ作成手段）と、構造物データ記憶部２と、計算データ記憶部３と、応力寿命関連データ記憶部４（記憶手段）と、算出部５と、操作入力部６と、出力部７とを備えている。
なお、本実施形態の構造解析装置Ｓは、ＣＰＵ等の演算処理装置、ハードディスクドライブ等の外部記憶、メモリ等の内部記憶装置、キーボードやマウス等の入力装置、ディスプレイやプリンタ等の出力装置を備えるパーソナルコンピュータやワークステーションによって具現化される。
【００２２】
応力寿命関連データ作成部１は、構造物に作用する一次応力及び二次応力と構造物のクリープ寿命とが関連付けられた応力寿命関連データを作成するものである。
具体的には、応力寿命関連データ作成部１は、いわゆる有限要素法を用いた数値解析を行い、この結果から応力寿命関連データを作成する。より詳細には、応力寿命関連データ作成部１は、数値解析の対象である構造物を模擬したモデルを作成し、一次応力、二次応力及びクリープ寿命をパラメータとする有限要素法を実行して応力寿命関連データを作成する。この際、応力寿命関連データ作成部１は、一次応力と二次応力とを変化させて得られるクリープ寿命を上記一次応力と二次応力とに関連付けることによって応力寿命関連データを作成する。
【００２３】
そして、本実施形態の構造解析装置Ｓにおいて応力寿命関連データ作成部１は、図２に示すように、構造物を模擬したモデルとして、一次応力及び二次応力を受ける矩形モデルを用いる。なお、当然のことながら、矩形モデルは、構造物を形成する材料の物性値等を用いて作成されている。
また応力寿命関連データ作成部１は、上記矩形モデルを構成する要素のうち最も大きな引張応力が作用する要素を応力評価要素Ａとし、当該応力評価要素Ａに作用する一次応力及び二次応力とクリープ寿命との関係を、上述の構造物に作用する一次応力及び二次応力と構造物のクリープ寿命との関係として応力寿命関連データを作成する。
つまり、本実施形態の構造解析装置Ｓにおいて応力寿命関連データ作成部１は、応力寿命関連データを作成するためのみに用いられる簡易的なモデルを用い、そのモデルを構成する複数の要素のうち、最も引張応力が大きくなると想定される要素を応力評価要素Ａとして数値解析することによって応力寿命関連データを作成する。
【００２４】
なお、一次応力及び二次応力とクリープ寿命との関係は、構造物の温度によって大きく変化する。このため、本実施形態の構造解析装置Ｓにおいて応力寿命関連データ作成部１は、構造物の想定される温度変化範囲において、温度をパラメータとして複数の応力寿命関連データを作成する。
【００２５】
構造物データ記憶部２は、応力寿命関連データ作成部１において応力寿命関連データを作成する際に用いる構造物に関連したパラメータや、特性算出部６において構造物の特性の算出に用いる構造物に関連したパラメータ等を構造物データとして記憶するものであり、例えば構造物を形成する材料の物性値や構造物の形状データ等を記憶する。
例えば、構造物が金属材料からなるボイラ配管である場合には、構造物データ記憶部２は、構造物データ記憶部２は、上記金属材料の密度や弾性係数を上記物性値として記憶し、構造物の形態、外径及び肉厚等を上記形状データとして記憶している。
なお、この構造物データは、予め構造物データ記憶部２に記憶されている必要はなく、必要に応じて操作入力部６を介して外部から入力される。
【００２６】
計算データ記憶部３は、応力寿命関連データ作成部１において応力寿命関連データを作成する際の有限要素法に用いる計算条件や、応力算出部５において一次応力及び二次応力を算出するための演算式や、特性算出部６で構造物の特性を算出するための演算式等を計算データとして記憶する。
なお、この計算データは、予め計算データ記憶部３に記憶されている必要ななく、必要に応じて操作入力部６を介して外部から入力される。
【００２７】
応力寿命関連データ記憶部４は、応力寿命関連データ作成部１において作成された応力寿命関連データを記憶するものである。
そして、本実施形態において応力寿命関連データ作成部１において、構造物の温度をパラメータとして複数の応力寿命関連データが作成されるため、応力寿命関連データ記憶部４は、構造物の温度をパラメータとして複数の応力寿命関連データを記憶することとなる。
【００２８】
算出部５は、応力寿命関連データ記憶部４に記憶された応力寿命関連データに基づいて構造物の特性を算出するものである。ここで、本実施形態の構造解析装置Ｓにおいて算出部５は、操作入力部１等からの指令に基づいて、構造物の特性として構造物の寿命及び許容応力を算出可能とされている。
【００２９】
操作入力部６は、本実施形態の構造解析装置Ｓに対して指令の入力を行うものであり、上述のキーボードやマウスの他、例えば外部から必要な情報をダウンロードするための通信装置を用いることもできる。
出力部７は、算出部５の算出結果や応力寿命関連データを視覚化して表示するものであり、上述のディスプレイやプリンタが用いられる。
【００３０】
次に、本実施形態の構造解析装置Ｓの動作（構造解析方法）について説明する。なお、本実施形態の構造解析装置Ｓの動作説明として、構造物の寿命を算出する際の動作と、構造物の許容応力を算出する際の動作について説明する。
【００３１】
本実施形態の構造解析装置Ｓにおいて構造物の寿命を算出する場合には、図３のフローチャートに示すように、応力寿命関連データの作成工程（ステップＳ１）と、寿命の算出工程（ステップＳ２）とを行う。
【００３２】
応力寿命関連データの作成工程（ステップＳ１）では、応力寿命関連データ作成部１によって有限要素法を用いた応力寿命関連データの作成が行われる。
以下に図４を参照して、応力寿命関連データの作成工程（ステップＳ１）のより詳細な説明をする。
【００３３】
応力寿命関連データ作成部１は、構造物データ記憶部２に記憶された構造物データ及び計算データ記憶部３に記憶された計算データに基づいて、構造物を模擬した簡易モデルとして上述した図２に示す矩形モデルを作成する（ステップＳ１ａ）。
ここで、応力寿命関連データ作成部１は、構造物データ記憶部２に記憶された構造物データ、計算データ記憶部３に記憶された計算データ、さらには操作入力部５から入力される要素サイズ等の指令に基づいて上記矩形モデルを作成する。
【００３４】
また、応力寿命関連データ作成部１は、上記モデルを用いたクリープ解析における温度の設定（ステップＳ１ｂ）と、モデルに作用する一次応力及び二次応力の設定（ステップＳ１ｂ）を行う。この際、応力寿命関連データ作成部１は、例えば操作入力部６から入力される温度値、一次応力値、及び二次応力値を記憶することによって、上記温度の設定と一次応力及び二次応力の設定を行う。
なお、クリープ損傷は温度に対する依存度が大きい。このため、応力寿命関連データ作成部１は、ステップＳ１ｂにおいて設定された温度に基づいて、ステップＳ１ａにおいて作成したモデルの補正を行う。具体的には、応力寿命関連データ作成部１は、ステップＳ１ｂにおいて設定された温度に基づいて、モデルに組み込まれた物性値（密度や弾性係数）を変更することによってモデルの補正を行う。
【００３５】
続いて、応力寿命関連データ作成部１は、ステップＳ１ａで作成したモデルと、ステップＳ１ｂで設定された温度と、ステップＳ１ｃで設定された一次応力及び二次応力とを用いてクリープ解析を行う（ステップＳ１ｄ）。ここで、応力寿命関連データ作成部１は、ステップＳ１ａで作成したモデルを構成する要素のうち、最も大きな引張応力が作用する要素を応力評価要素Ａとし、当該応力評価要素Ａに対してクリープ解析を行う。
なお、最も大きな引張応力が作用する要素、すなわち応力評価要素Ａは、上記モデルの形状や固定条件、またモデルの二次応力が作用する位置等によって容易に特定することができる。
【００３６】
クリープ解析を行うことによって、応力評価要素Ａにおけるクリープ損傷度の時間変化が解析結果として得られる。そして、応力寿命関連データ作成部１は、上記クリープ損傷度の時間変化に基づいて応力評価要素Ａのクリープ寿命を決定する（ステップＳ１ｅ）。例えば、応力寿命関連データ作成部１は、構造物データ記憶部２に記憶された、または操作入力部６を介して入力される閾値を上記クリープ損傷度が超えるまでの時間を応力評価要素Ａのクリープ寿命と決定する。
そして、応力寿命関連データ作成部１は、このように決定したクリープ寿命を、当該クリープ寿命の算出に用いた一次応力と二次応力とに関連付けて記憶する。
【００３７】
続いて、応力寿命関連データ作成部１は、ステップＳ１ｃにおいて設定した一次応力及び二次応力を変更するか否かの判定を行う（ステップＳ１ｆ）。
具体的には、応力寿命関連データ作成部１は、予め計算データ記憶部３に記憶された一次応力と二次応力との組み合わせに対して全てクリープ寿命の関連付けが完了しているかを判定し、完了していない場合に一次応力及び二次応力を変更すると判定し、完了している場合に一次応力及び二次応力を変更しないと判定する。
【００３８】
そして、応力寿命関連データ作成部１は、一次応力及び二次応力を変更すると判定した場合には、一次応力及び二次応力を変更するべく、再びステップＳ１ｃの一次応力及び二次応力の設定を行い、さらには上記クリープ解析（ステップＳ１ｄ）及びステップ（ステップＳ１ｅ）を行う。
このようにステップＳ１ｃからステップＳ１ｅを一次応力と二次応力とを変更しながら繰り返し行うことによって、一次応力と二次応力との組み合わせに対して全てクリープ寿命の関連付けが完了し、一定の温度に依存した応力寿命関連データが作成される。
【００３９】
一方、応力寿命関連データ作成部１は、ステップＳ１ｆにおいて一次応力及び二次応力を変更しないと判定した場合には、続いて温度の変更を行うか否かの判定を行う（ステップＳ１ｇ）。
具体的には、応力寿命関連データ作成部１は、予め計算データ記憶部３に記憶された全ての設定温度候補に対して応力寿命関連データが作成されているかを判定し、作成されていない場合に温度を変更すると判定し、作成されている場合に温度を変更しないと判定する。
【００４０】
そして、応力寿命関連データ作成部１は、温度を変更すると判定した場合には、温度を変更するべく、再びステップＳ１ｂの温度の設定を行い、さらには、上記一次応力及び二次応力の設定（ステップＳ１ｃ）、クリープ解析（ステップＳ１ｄ）及びステップ（ステップＳ１ｅ）を行う。
このようにステップＳ１ｂからステップＳ１ｆを温度を変更しながら繰り返し行うことによって、全ての設定温度候補に対して応力寿命関連データが作成される。
【００４１】
このように全ての設定温度候補に対して応力寿命関連データが作成されることによって、応力寿命関連データの作成工程（ステップＳ１）が完了する。
なお、上述の工程で、作成された応力寿命関連データは、応力評価要素Ａに対するものである。しかしながら、応力評価要素Ａは、最も引張応力が作用する要素であるため、構造物の最も損傷しやすい箇所であると捉えることができる。したがって、上述のようにして作成された応力寿命関連データは、構造物における一次応力及び二次応力とクリープ寿命との関係を示すものとして考えることができる。よって、本実施形態においては、上述のようにして作成された応力寿命関連データを構造物に対する応力寿命関連データであるとして応力損傷度関連データ記憶部４に記憶する。
【００４２】
続いて、図３に示すように寿命の算出工程（ステップＳ２）が行われる。
寿命の算出工程（ステップＳ２）では、算出部５によってステップＳ１で作成された応力寿命関連データに基づいて構造物の寿命が算出される。
以下に図５を参照して、寿命の算出工程（ステップＳ２）のより詳細な説明をする。
【００４３】
本寿命の算出工程では、まず最初に形状寸法設定が行われる（ステップＳ２ａ）。
具体的には、操作入力部６を介して入力される構造物の形状寸法が、例えば構造物データ記憶部２に記憶されることによって形状寸法設定が行われる。
なお、構造物がボイラ配管である場合には、例えば、ボイラ配管の形態（直管やエルボ管等の形態）、外径、肉厚等の形状寸法として設定される。
【００４４】
続いて、本寿命の算出工程では、構造物に作用する外力の設定が行われる（ステップＳ２ｂ）。
具体的には、操作入力部６を介して入力される構造物に作用する外力が、例えば構造物データ記憶部２に記憶されることによって外力の設定が行われる。
なお、構造物がボイラ配管である場合には、例えば、ボイラ配管に流体が流れた場合におけるボイラ配管の内圧が外力として設定される。
【００４５】
続いて、算出部５によって構造物に作用する一次応力及び二次応力が算出される（ステップＳ２ｃ）。
具体的には、算出部５は、ステップＳ２ａで設定された形状寸法、ステップＳ２ｂで設定された外力、及び計算データ記憶部３に記憶された計算データを用いて構造物に作用する一次応力及び二次応力を算出する。
【００４６】
例えば、構造物が直管のボイラ配管である場合には下式（１）に示される簡易式によって一次応力を近似的に算出することができ、また構造物がエルボ管のボイラ配管である場合には下式（２）に示される簡易式によって一次応力を近似的に算出することができる。なお、下式（１），（２）において、σが一次応力、ｐが内圧、ｒが平均半径（＝（外径−肉厚）／２）、ｔが肉厚、Ｒ０が曲率半径を示す。また、構造物がボイラ配管である場合において二次応力は、既存の算出プログラムにて容易に算出することができる。したがって、構造物がボイラ配管である場合には、下式（１），（２）及び算出プログラムを計算データとして計算データ記憶部３に記憶させておき、これらを用いて一次応力及び二次応力を算出することができる。
【００４７】
【数１】
2010203919.tif 000003
【００４８】
【数２】
2010203919.tif 000004
【００４９】
続いて、本寿命の算出工程では、温度の設定が行われる（ステップＳ２ｅ）。
具体的には、構造物の設計後において構造物の使用温度が想定され、当該使用温度が操作入力部６を介して入力され、この入力された使用温度が例えば構造物データ記憶部２に記憶されることによって温度の設定が行われる。
【００５０】
続いて、算出部５によって、構造物のクリープ寿命が算出される（ステップＳ２ｅ）。
具体的には、算出部５は、ステップＳ２ｃで算出した一次応力及び二次応力と、ステップＳ２ｄで設定された温度と、応力寿命関連データ記憶部４が記憶する応力寿命関連データとに基づいて構造物のクリープ寿命を算出する。
より詳細には、算出部５は、ステップＳ２ｄで設定された温度に基づいて、複数の応力寿命関連データから１つの応力寿命関連データを選択し、さらに選択して応力寿命関連データを参照し、ステップＳ２ｃで算出した一次応力と二次応力とに関連付けられたクリープ寿命を抽出する。
なお、応力寿命関連データにステップＳ２ｃで算出された一次応力及び二次応力あるいは、ステップＳ２ｅで設定された温度と完全に一致する値が含まれていない可能性もある。この場合には、算出部５は、内挿法（線形補間等）を用いて応力寿命関連データに含まれない値を算出する。なお、当該内挿法を行うためのプログラムは計算データとして、予め計算データ記憶部３に記憶されていれば良い。
【００５１】
そして、上述のようにして算出された構造物のクリープ寿命が、構造物の寿命として算出部５から出力され、出力部７によって可視化される。
【００５２】
次に、本実施形態の構造解析装置Ｓにおいて構造物の許容応力を算出する場合には、図６のフローチャートに示すように、応力寿命関連データの作成工程（ステップＳ１）と、許容応力の算出工程（ステップＳ２）とを行う。
【００５３】
構造物の許容応力を算出する場合における応力寿命関連データの作成工程（ステップＳ１）と、上述した構造物の寿命を算出する場合の応力寿命関連データの作成工程（ステップＳ１）は同一であるため、ここではその説明を省略する。
【００５４】
許容応力の算出工程（ステップＳ２）は、応力寿命関連データ記憶部４に記憶された応力寿命関連データに基づいて構造物の許容応力を算出する工程である。
以下に図７を参照して、許容応力の算出工程（ステップＳ２）のより詳細な説明をする。
【００５５】
まず最初に形状寸法設定（ステップＳ３ａ）、外力の設定（ステップＳ３ｂ）及び温度の設定（ステップＳ３ｃ）が行われる。なお、本許容応力の算出工程における形状寸法設定（ステップＳ３ａ）、外力の設定（ステップＳ３ｂ）及び温度の設定（ステップＳ３ｃ）は、上述の寿命の算出工程（ステップＳ２）における形状寸法設定（ステップＳ２ａ）、外力の設定（ステップＳ２ｂ）及び温度の設定（ステップＳ２ｄ）と同様である。
【００５６】
続いて、寿命の設定が行われる（ステップＳ３ｄ）。
具体的には、操作入力部６を介して入力される構造物の寿命が、例えば構造物データ記憶部２に記憶されることによって寿命の設定が行われる。
【００５７】
続いて、算出部５によって、ステップＳ３ｄにおいて設定された寿命を満足する一次応力及び二次応力が算出される（ステップＳ３ｅ）。
具体的には、算出部５は、応力寿命関連データから、ステップＳ３ｄにおいて設定された寿命を満足する一次応力及び二次応力を抽出する。そして、単純には、抽出した一次応力及び二次応力のうち、最も大きな値が許容応力となる。
【００５８】
なお、応力寿命関連データから一次応力の許容応力と二次応力の許容応力との関係を予め算出しておき、この関係から一次応力の許容応力あるいは二次応力の許容応力を算出するようにしても良い。
【００５９】
例えば、構造物がボイラ配管である場合には、一次応力の許容応力σＨと二次応力σＳの許容応力との関係は、係数ａ，ｂが温度の従属変数とされた下式（３）によって示すことができる。
【００６０】
【数３】
2010203919.tif 000005
【００６１】
このため、応力寿命関連データから上式（１）を予め算出して、例えば計算データ記憶部３に記憶しておくことによって、一次応力の許容応力と二次応力の許容応力との一方から他方を算出することが可能となる。したがって、ステップＳ３ｄにおいて一次応力の許容応力あるいは二次応力の許容応力のいずれかのみを抽出すれば良くなる。
【００６２】
以上のような本実施形態の構造解析装置Ｓ及び構造解析方法によれば、構造物の形状設計がなされる前に応力寿命関連データが取得され、構造物の形状設計後においては、予め取得された応力寿命関連データに基づいて構造物の特性が解析される。
したがって、構造物の形状設計後は、応力寿命関連データを用いることによって、一次応力及び二次応力からクリープ寿命を容易に算出でき、またクリープ寿命から一次応力及び二次応力を容易に算出することができる。
このように本実施形態の構造解析装置Ｓ及び構造解析方法によれば、応力寿命関連データを用いることによって、構造物の特性を容易に算出することができ、構造物の設計から評価までの作業量及び時間を削減して作業効率を向上させることが可能となる。
【００６３】
また、本発明によれば、構造物の温度をパラメータとして複数の応力寿命関連データが記憶されている。
このため、構造物の使用温度に応じて、正確に構造物の特性を算出することができる。
【００６４】
また、本発明によれば、有限要素法を用いて応力寿命関連データの作成を行うが、構造物の設計前に有限要素法を用いているため、例えば構造物の設計を行っている間に有限要素法を行うことができ、作業を効率化させることが可能となる。
【００６５】
また、本発明によれば、応力寿命関連データを作成する際の有限要素法において、モデルを構成する要素のうち、最も大きな引張応力が作用する要素である応力評価要素Ａのみデータを参照するという構成を採用する。したがって、より短時間で応力寿命関連データを作成することができる。
また、本構成を採用することによって、応力評価要素Ａにおいて算出されるデータが変化しない程度にモデルを簡易化することができるため、モデル作成の作業量を低減させることが可能となる。
【００６６】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００６７】
例えば、上記実施形態においては、構造物の温度をパラメータとして、複数の応力寿命関連データを記憶する構成について説明した。
しかしながら、本発明はこれに限定されるものではなく、例えば構造物が変化のない一定の温度環境で用いられるものである場合には、単一の応力寿命関連データのみを記憶しても良い。
【００６８】
また、上記実施形態においては、応力寿命関連データを作成する際に、有限要素法を用いた。
しかしながら、本発明はこれに限定されるものではなく、他の方法によって応力寿命関連データを作成しても良い。
【符号の説明】
【００６９】
Ｓ……構造解析装置、１……応力寿命関連データ作成部（データ作成手段）、２……構造物データ記憶部、３……計算データ記憶部、４……応力寿命関連データ記憶部（記憶手段）、５……算出部（算出手段）、６……操作入力部、７……出力部
【図１】
2010203919.tif 000006
【図２】
2010203919.tif 000007
【図３】
2010203919.tif 000008
【図４】
2010203919.tif 000009
【図５】
2010203919.tif 000010
【図６】
2010203919.tif 000011
【図７】
2010203919.tif 000012